(57)【要約】      （修正有）【課題】ピンロック方式の伸縮式多段連結シャフトによる杖に関して、収納時（縮尺状態）における下段シャフトの脱落防止構造を提供する。【解決手段】相互にスライドし合う管ペアの組合せごとに小径管内に凹継ぎ手４４，５４が、大径管内には凸継ぎ手３７，４７が備わっており、両継ぎ手のうち少なくとも前記凸継ぎ手が軸芯方向へ沿って放射状略等間隔に複数個のスリット有して全方位ラジアル方向へ可撓的に形成されており、非使用時における収納時（縮尺状態）においては、小径管内の前記凹継ぎ手及び大径管内の前記凸継ぎ手が互いに嵌り合ってスナップ連結するべく構成して多段伸縮式杖の下段シャフトが脱落することを防止する。【選択図】図４
0003158936.tif 000002
【実用新案登録請求の範囲】
【請求項１】
軸方向に嵌挿されて相互にスライドし合う大小径金属管ペアの複数を組み合わせて複数段の伸縮式連結管を構成し、使用時には小径管内に備わる外方向へ付勢されたロックピンがペア相手の大径管の通孔に嵌係合して位置ロックされ、非使用時にはロックピンを小径管内へ押し込むことによって位置ロックを解除して小径管を大径管内へスライド収納できるよう構成された複数段の伸縮式杖において、
相互にスライドし合う管ペアの組合せごとに一方の管内に凹継ぎ手が、他方の管内には凸継ぎ手が備わっており、前記両継ぎ手のうち少なくとも前記凸継ぎ手が軸芯方向へ沿って放射状略等間隔に複数個のスリットを有して全方位ラジアル方向へ可撓的に形成されており、
非使用時における縮尺して収納した状態においては、前記凹継ぎ手及び前記凸継ぎ手が互いに嵌り合って連結するべく構成されたことを特徴とする多段伸縮杖の脱落防止構造。
【考案の詳細な説明】
【技術分野】
【０００１】
本考案は長さ調節が可能な伸縮式の杖に関するものである。
【背景技術】
【０００２】
複数段のパイプ状シャフトを伸縮式にスライド自在に連結して構成される伸縮式連結シャフトに関し、特にシャフトをロックするために、より少ない軸回転トルクで大きな摩擦ロック力を得ることのできるロック機構に関して、トレッキングやスキーポールなどのスポーツ用品、あるいは障害者や老人用の歩行補助杖として多く使われるようになってきている。
【０００３】
例えば、伸縮式連結シャフトは三段の中空パイプ状シャフト２，３，４を伸縮式にスライド自在に連結して構成され、即ち上段のシャフト２に対し中段のシャフト３が、中段のシャフト３に対し下段のシャフト４が夫々軸方向にスライド自在に嵌挿されており、各段間でシャフトをスライドさせることで全体の長さが伸縮されるものがトレッキング用の歩行補助杖として使用される。
各段のシャフト２，３，４はアルミニウム等の軽金属及びコンポジットシャフトによりなり、上段のシャフト２の上端にはストラップ５付きの樹脂製グリップ６が取り付けられ、また下段のシャフト４の下端には杖先ゴム７が取り付けられており、歩行時にはグリップ６を手で持った状態で杖先ゴム７を地面に突き当ててシャフトを杖として使用するものである。
【先行技術文献】
【特許文献】
【０００４】
上記のような伸縮式連結シャフトによる杖に関する技術文献として２つの事例を以下に記載する。
【０００５】
【特許文献１】実用新案登録第３０７６７０４号  伸縮式連結シャフトこの伸縮式連結シャフトにおいて各段のシャフト間には、摩擦力によってシャフトのスライドをロックするロック機構が内蔵されている。  このロック機構は、シャフトを軸回転させることによって内部の摩擦ロック部材が作動して摩擦によるロックが行なわれる構造となっており、この例では上段のシャフト２に対し中段のシャフト３を軸回転させ、また中段のシャフト３に対し下段のシャフト４を軸回転させることによって各シャフトが軸方向にスライド不能にロックされ、シャフト全体を任意の長さで固定できるものである。
【０００６】
各段のシャフト２，３，４の表面に、溶射による滑り止め部を形成してある。これは、セラミックスあるいはＳＵＳ等の金属の粉末を溶射の技法によってシャフトの表面に吹き付けて粗面の滑り止め部（溶射部）を形成したもので、シャフトをロックするときにはこの滑り止め部を握ってシャフトを軸回転させて締め付けるようにする。
このシャフトの締め付けにおいては、滑り止め部と手の間で充分な摩擦力が得られるので、非力の女性や老人でも高い締め付けトルクを出すことができ、安定した満足の得られる固定力でシャフトをロックすることができる。
【０００７】
【特許文献２】実用新案登録第３０５３８２６号  杖大径の上段シャフトの上端に握持ち部を固定し、小経の下段シャトの下端に石突きを設け、杖本体を構成する上段シャフト、中段シャフト、下段シャフトを伸縮可能な異経シャフトを以て構成し、長さ調節後に各段シャフトを固定するためシャフトの長手方向に沿って複数個の通孔を穿設し、シャフト内に付設されたバネによって付勢されたピンを前記通孔に嵌係合するようにした杖において、長さ調節可能な杖を構成する各シャフトの周面の長手方向に沿った一面を平面部に構成するとともに、この平面部の長手方向に長さ調節後固定するための複数個の通孔を穿設した杖である。
【０００８】
したがって、シャフトを適宜長に合わせれば、シャフト内に付設されたバネによって付勢された下段シャフト内のロックピンが上段シャフトの通孔に嵌係合することとなり、シャフトは固定される。一方、シャフトの係合状態を解除するときは、ロックピンをシャフト中心方向に押せば通孔からピンが外れ上段シャフトと下段シャフトは互いにスライド自在となる。此のときも、各シャフトの周面の長手方向に沿った一面が平面部に構成されているので各シャフトは回動すること無く長手方向のみにスライドする。
【考案の概要】
【考案が解決しようとする課題】
【０００９】
上記した伸縮式連結シャフトによる杖の２事例のように、摩擦ロック式或いはピンロック式のものが多段に設けられて、収納時において極めてコンパクトに収まるので重用されるようになっている。しかし、摩擦ロック式のシャフトではロック操作時の軸回転操作を更に滑らかに且つより確実に行なえるものが望まれている。その点ピンロック式のシャフトの場合は、使用時にはロックピンが上段シャフトの通孔に嵌係合して確実に固定されるので有利である。
しかしながら、収納時には上・下段両シャフトがバネの付勢力による僅かな摩擦抵抗を有するだけでスライド自在であるため、下段シャフトが上段シャフトから脱落してしまう懸念がある。収納時即ち非使用での携帯中における脱落防止用のロックが必要である。
【００１０】
本考案はこのような要望や懸念に応えるため、ピンロック方式の伸縮式連結シャフトの収納時における下段シャフトの脱落防止機構の工夫を課題としてなされたものである。
【課題を解決するための手段】
【００１１】
軸方向に嵌挿されて相互にスライドし合う大小径金属管ペアの複数を組み合わせて複数段の伸縮式連結管を構成し、使用時には小径管内に備わる外方向へ付勢されたロックピンがペア相手の大径管の通孔に嵌係合して位置ロックされ、非使用時にはロックピンを小径管内へ押し込むことによって位置ロックを解除して小径管を大径管内へスライド収納できるよう構成された複数段の伸縮式杖において、
相互にスライドし合う管ペアの組合せごとに一方の管内に凹継ぎ手が、他方の管内には凸継ぎ手が備わっており、前記両継ぎ手のうち少なくとも前記凸継ぎ手が軸芯方向へ沿って放射状略等間隔に複数個のスリットを有して全方位ラジアル方向へ可撓的に形成されており、
前記非使用時における縮尺して収納した状態においては、前記凹継ぎ手及び前記凸継ぎ手が互いに嵌り合って連結するべく構成されたことを特徴とする多段伸縮杖の脱落防止構造による。
【考案の効果】
【００１２】
相互にスライドし合う管ペアの組合せごとに一方の管内に凹継ぎ手が、他方の管内には凸継ぎ手が備わっており、前記両継ぎ手のうち少なくとも前記凸継ぎ手が軸芯方向へ沿って放射状略等間隔に複数個のスリットを有して全方位ラジアル方向へ可撓的に形成されており、
非使用時における縮尺して収納した状態においては、前記凹継ぎ手及び前記凸継ぎ手が互いに嵌り合って連結するべく構成されているため、収納した状態での携帯中において、下段シャフトが上段シャフトから脱落してしまうことを防止できる。
【考案を実施するための最良の形態】
【００１３】
以下、本考案の実施例について図面を参照しながら説明する。図の上下方向は杖を立てた状態で使用する時の方向であり、文中の「上」「下」は図の上下方向を指している。
【実施例】
【００１４】
図１は使用時（伸長状態）における本実施例の杖の斜視図であり、図２は非使用時（縮尺状態）における杖の斜視図であり、
図３の（Ｂ）（Ｃ）（Ｄ）はそれぞれ、杖管Ｂ１３の上端部に固定される凸継ぎ手３０の、杖管Ｃ１４の上端部に固定される凹凸継ぎ手４０の、及び杖管Ｄ１５の上端部に固定される凹継ぎ手５０の斜視図であり、
図４は相互にスライドし合う管ペアの組合せ状態を収納時（縮尺状態）またはその直前の状態で示す側断面図である。
【００１５】
上端に握り柄２を、下端に石突き５を備えた歩行用或いはトレッキング用杖が、杖管Ａ１２、杖管Ｂ１３，杖管Ｃ１４，及び杖管Ｄ１５からなり、管Ａ１２とＢ１３、Ｂ１３とＣ１４、Ｃ１４とＤ１５の組合せが相互にスライドし合う管ペアとして構成される。それぞれの管ペアの組合せにおいて、小径管内の上端部にはロックピン８が外方向へ付勢されて備わり、大径管の下端部には前記ロックピン８が嵌り込むべく通孔７が備わっている。なお、使用時（伸長状態）の杖の長さ調節をするために、杖管Ａ１２には複数の通孔７が設けられており、このうちの１個の通穴に前記ロックピン８が嵌り込んで使用されることになる。
使用時（図１に示す伸長状態）には前記ロックピン８と前記通孔７が嵌係合して位置ロックされ、非使用時（図２に示す縮尺状態）にはロックピンが大径管の内壁に阻まれて小径管内へ押し込まれているので位置ロックが解除されている（ピンは図示せず）。図４では位置ロックが解除されたロックピン８の状態を示している。
【００１６】
相互にスライドし合う管ペアのそれぞれの組合せにおいて、小径管の上端部に脱落防止スナップ止めを可能にする構成要素、継ぎ手Ｂ３０、継ぎ手Ｃ４０、継ぎ手Ｄ５０が固定されている。これらの組合せを個々に見て行くと、
継ぎ手Ｃ４０は、略中央部に位置する圧入部Ｃ４１が杖管Ｃ１４の上端部に圧入固定されており、ラジアル外方向へ開口する底付きのピン穴Ｃ４２が備わりロックピン８及び付勢スプリング９を収容している。
継ぎ手Ｃ４０の上部には、上段の杖管Ｂ１３の内壁面に沿ってスライドするべき摺動部Ｃ４３が放射状略等間隔に４個のスリットを有して筒状に形成されており、筒内は上段の継ぎ手Ｂ３０の下部に嵌合突起Ｂ３８を備えて形成された凸継ぎ手部Ｂ３７がスナップ嵌合するべく、凹継ぎ手部Ｃ４４が嵌合溝Ｃ４６を備えて形成されている。即ち、凸継ぎ手部Ｂ３７が凹継ぎ手部Ｃ４４内に挿入されて行くと、嵌合突起Ｂ３８が嵌合溝Ｃ４６に到達し嵌り込んでスナップ嵌合するよう構成されている。図４では上記した継ぎ手Ｂ３０と継ぎ手Ｃ４０の相対位置をスナップ嵌合する直前の位置で示した。
【００１７】
継ぎ手Ｃ４０の下部には、下段の継ぎ手Ｄ５０の凹継ぎ手部Ｄ５４に挿入されてスナップ嵌合するべく形成された凸継ぎ手部Ｃ４７が、放射状略等間隔に４個のスリット４９を有して筒状に設けられており、前記凹継ぎ手部Ｄ５４内に備わる嵌合溝Ｄ５６に嵌り込んでスナップ嵌合するべく下部に嵌合突起Ｃ４８を備えている。
【００１８】
継ぎ手Ｂ３０並びに継ぎ手Ｄ５０もそれぞれに、杖管Ｂ１３並びに杖管Ｄ１５のサイズに合わせて形成され圧入固定ており、前記した継ぎ手Ｃ４０と同等機能を有するものであるが、本実施例の継ぎ手Ｂ３０では嵌合溝を、継ぎ手Ｄ５０では凸継ぎ手部を除いた。
図４において、継ぎ手Ｃ４０と継ぎ手Ｄ５０の相対位置は、スナップ嵌合した状態を示した。凸継ぎ手部Ｃ４７は凹継ぎ手部Ｄ５４内に挿入しており、嵌合突起Ｃ４８が嵌合溝Ｄ５６に嵌り込んでスナップ嵌合している。このように本実施例の杖の伸長状態から小径管を縮尺状態へと次々に押し込んで行くと、それぞれの管ペアの組合せにおいて、継ぎ手Ｂ３０、継ぎ手Ｃ４０、継ぎ手Ｄ５０同士が次々とスナップ嵌合して行き、遂には脱落防止状態となる。
継ぎ手Ｂ,Ｃ,及びＤは何れも高弾性を有する強化樹脂を成型して使用する。
【図面の簡単な説明】
【００１９】
【図１】本実施例の杖の使用時（伸長状態）における斜視図
【図２】本実施例の杖の非使用時（縮尺状態）における杖の斜視図
【図３】（Ｂ）杖管Ｂ１３の上端部に固定される凸継ぎ手Ｂ３０の斜視図（Ｃ）杖管Ｃ１４の上端部に固定される凹凸継ぎ手Ｃ４０の斜視図（Ｄ）杖管Ｄ１５の上端部に固定される凹継ぎ手Ｄ５０の斜視図
【図４】相互にスライドし合う管ペアの組合せ状態を収納時（縮尺状態）または、その直前の状態で示す側断面図
【符号の説明】
【００２０】
２      握り柄
３      石突き５
７      通孔（各管の）
８      ロックピン
９      付勢スプリング
１２      管Ａ
１３      管Ｂ
１４      管Ｃ
１５      管Ｄ
３０,４０,５０  継ぎ手Ｂ,Ｃ,Ｄ
３１,４１,５１  圧入部Ｂ,Ｃ,Ｄ
３２,４２,５２  ピン穴Ｂ,Ｃ,Ｄ
３３,４３,５３  摺動部Ｂ,Ｃ,Ｄ
４４,５４      凹継ぎ手部Ｃ,Ｄ
３５,４５,５５  凹部スリットＢ,Ｃ,Ｄ
４６,５６      嵌合溝Ｃ,Ｄ
３７,４７      凸継ぎ手部Ｂ,Ｃ
３８,４８      嵌合突起Ｂ,Ｃ
３９,４９      凸部スリットＢ,Ｃ
【図１】
0003158936.tif 000003
【図２】
0003158936.tif 000004
【図３】
0003158936.tif 000005
【図４】
0003158936.tif 000006